(57)【要約】      （修正有）【課題】生ゴミ収納部内の臭いが本体の外へ漏れるのを防ぐことができる生ゴミ処理装置を提供する。【解決手段】生ゴミ処理装置Ａは、 生ゴミを投入する投入口１１と、生ゴミ収納部１２に収納された前記生ゴミを攪拌する攪拌部１３とを備えた本体１と、生ゴミ収納部１２内の空気を本体１の外へ案内する排気通路２０と、この排気通路２０内に設けられ、本体１の外へ送風する排気ファン２１と、消臭剤収納部８内の消臭剤気体を生ゴミ収納部１２へ案内する消臭剤案内通路２５内に設けられ消臭剤収納部８内の消臭剤気体を吸い込んで送風する消臭ファン２６が設置されている。使用者の存在を検知する検知センサ３０が使用者を検知すると消臭ファン２６及び排気ファン２１を動作させるものである。【選択図】図４
2006110437.tif 000002
【特許請求の範囲】
【請求項１】
生ゴミを投入する投入口と、この投入口より投入された前記生ゴミを収納する生ゴミ収納部と、この生ゴミ収納部に収納された前記生ゴミを攪拌する攪拌部とを備えた本体と、
前記投入口を開閉する投入口開閉蓋と、
前記生ゴミ収納部内の空気を前記本体の外へ案内する排気通路と、
この排気通路内に設けられ、前記本体の外へ送風する排気ファンと、
前記本体内に設けられ、消臭剤を収納する消臭剤収納部と、
この消臭剤収納部内の前記消臭剤を前記生ゴミ収納部へ案内する消臭剤案内通路と、
この消臭剤案内通路内に設けられ、前記消臭剤収納部内の前記消臭剤を吸い込んで、前記生ゴミ収納部へ送風する消臭ファンと、
前記本体の前面側に設けられ、使用者を検知する検知センサと、
前記検知センサが使用者を検知すると、前記消臭ファン及び前記排気ファンを動作させる制御手段とを有することを特徴とする生ゴミ処理装置。
【請求項２】
投入口を開閉する投入口開閉蓋を、生ゴミ収納部に遠い側から第１の投入口開閉蓋、第２の投入口開閉蓋の少なくとも２個以上備えていることを特徴とする請求項１記載の生ゴミ処理装置。
【請求項３】
生ゴミを投入する投入口と、この投入口より投入された前記生ゴミを収納する生ゴミ収納部と、この生ゴミ収納部に収納された前記生ゴミを攪拌する攪拌部とを備えた本体と、
前記投入口を開閉する投入口開閉蓋と、
前記生ゴミ収納部内の空気を前記本体の外へ案内する排気通路と、
この排気通路内に設けられ、前記本体の外へ送風する排気ファンと、
前記本体内に設けられ、消臭剤を収納する消臭剤収納部と、
この消臭剤収納部内の前記消臭剤を前記生ゴミ収納部へ案内する消臭剤案内通路と、
この消臭剤案内通路内に設けられ、前記消臭剤収納部内の前記消臭剤を吸い込んで、前記生ゴミ収納部へ送風する消臭ファンと、
前記本体の前面側に設けられ、使用者を検知する検知センサとを備え、
前記検知センサが使用者を検知すると、前記消臭ファン及び前記排気ファンを動作させることを特徴とする生ゴミ処理装置の臭気漏れ防止方法。
【請求項４】
生ゴミを投入する投入口と、この投入口より投入された前記生ゴミを収納する生ゴミ収納部と、この生ゴミ収納部に収納された前記生ゴミを攪拌する攪拌部とを備えた本体と、
前記投入口を開閉する投入口開閉蓋と、
前記生ゴミ収納部内の空気を前記本体の外へ案内する排気通路と、
この排気通路内に設けられ、前記本体の外へ送風する排気ファンと、
前記本体内に設けられ、消臭剤を収納する消臭剤収納部と、
この消臭剤収納部内の前記消臭剤を前記生ゴミ収納部へ案内する消臭剤案内通路と、    この消臭剤案内通路は、中途より分岐し、分岐した一方は前記排気通路に接続される消臭剤排気側通路であり、分岐した他方は前記生ゴミ収納部へ案内する消臭剤生ゴミ収納部側通路であり、前記分岐する手前は消臭剤通路であり、
この消臭剤通路内に設けられ、前記消臭剤収納部内の前記消臭剤を吸い込んで、前記消臭剤排気側通路及び前記消臭剤生ゴミ収納部側通路へ送風する消臭ファンとを有することを特徴とする生ゴミ処理装置。
【請求項５】
生ゴミを投入する投入口と、この投入口より投入された前記生ゴミを収納する生ゴミ収納部と、この生ゴミ収納部に収納された前記生ゴミを攪拌する攪拌部とを備えた本体と、
前記投入口を開閉する投入口開閉蓋と、
前記生ゴミ収納部内の空気を前記本体の外へ案内する排気通路と、
この排気通路内に設けられ、前記本体の外へ送風する排気ファンと、
前記本体内に設けられ、消臭剤を収納する消臭剤収納部と、
この消臭剤収納部内の前記消臭剤を前記生ゴミ収納部へ案内する消臭剤生ゴミ収納部    側通路と、
前記消臭剤収納部内の前記消臭剤を前記排気通路に案内する消臭剤排気側通路と、
前記消臭剤生ゴミ収納部側通路内に設けられ、前記消臭剤収納部内の前記消臭剤を前記生ゴミ収納部へ送風する第１の消臭ファンと、
前記消臭剤排気側通路内に設けられ、前記消臭剤収納部内の前記消臭剤を前記消臭剤排気側通路へ送風する第２の消臭ファンとを有することを特徴とする生ゴミ処理装置。
【発明の詳細な説明】
【技術分野】
【０００１】
本発明は、生ゴミ処理装置及び生ゴミ処理装置の臭気漏れ防止方法に係り、特に、生ゴミ収納部内の臭いが本体の外へ漏れるのを防ぐことができる生ゴミ処理装置及び生ゴミ処理装置の臭気漏れ防止方法に関する。
【背景技術】
【０００２】
従来、生ゴミを投入する投入蓋の開放動作と生ゴミを内蔵するケーシング内の消臭剤噴射を連動させるようにしてケーシング内の臭気が外部へ漏れないようにした生ゴミ処理装置がある（例えば、特許文献１参照）。
【特許文献１】特開平１１−２６２７４６号公報
【発明の開示】
【発明が解決しようとする課題】
【０００３】
しかしながら、上述した生ゴミ処理装置（特開平１１−２６２７４６号公報）にあっては、生ゴミを投入する投入蓋の開放動作と生ゴミを内蔵するケーシング内の消臭剤噴射を連動させて、消臭剤をケーシング内に噴射しても、消臭剤の効果が発揮されるまでには、タイムラグがあり、その効果には時間がかかりケーシング内の臭いが外へ漏れるという問題点が生じた。
本発明は、上述した問題点を除去するようにした生ゴミ処理装置及び生ゴミ処理装置の臭気漏れ防止方法を提供するものである。
【課題を解決するための手段】
【０００４】
前記した目的を達成するための本発明の生ゴミ処理装置は、生ゴミを投入する投入口と、この投入口より投入された前記生ゴミを収納する生ゴミ収納部と、この生ゴミ収納部に収納された前記生ゴミを攪拌する攪拌部とを備えた本体と、前記投入口を開閉する投入口開閉蓋と、前記生ゴミ収納部内の空気を前記本体の外へ案内する排気通路と、この排気通路内に設けられ、前記本体の外へ送風する排気ファンと、前記本体内に設けられ、消臭剤を収納する消臭剤収納部と、この消臭剤収納部内の前記消臭剤を前記生ゴミ収納部へ案内する消臭剤案内通路と、この消臭剤案内通路内に設けられ、前記消臭剤収納部内の前記消臭剤を吸い込んで、前記生ゴミ収納部へ送風する消臭ファンと、前記本体の前面側に設けられ、使用者を検知する検知センサと、前記検知センサが使用者を検知すると、前記消臭ファン及び前記排気ファンを動作させる制御手段とを有するものである。
【０００５】
また、請求項２記載の生ゴミ処理装置は、請求項１記載の生ゴミ処理装置において、投入口を開閉する投入口開閉蓋を、生ゴミ収納部に遠い側から第１の投入口開閉蓋、第２の投入口開閉蓋の少なくとも２個以上備えているものである。
【０００６】
また、請求項３記載の生ゴミ処理装置の臭気漏れ防止方法は、生ゴミを投入する投入口と、この投入口より投入された前記生ゴミを収納する生ゴミ収納部と、この生ゴミ収納部に収納された前記生ゴミを攪拌する攪拌部とを備えた本体と、前記投入口を開閉する投入口開閉蓋と、前記生ゴミ収納部内の空気を前記本体の外へ案内する排気通路と、この排気通路内に設けられ、前記本体の外へ送風する排気ファンと、前記本体内に設けられ、消臭剤を収納する消臭剤収納部と、この消臭剤収納部内の前記消臭剤を前記生ゴミ収納部へ案内する消臭剤案内通路と、この消臭剤案内通路内に設けられ、前記消臭剤収納部内の前記消臭剤を吸い込んで、前記生ゴミ収納部へ送風する消臭ファンと、前記本体の前面側に設けられ、使用者を検知する検知センサとを備え、前記検知センサが使用者を検知すると、前記消臭ファン及び前記排気ファンを動作させるものである。
【０００７】
また、請求項４記載の生ゴミ処理装置は、生ゴミを投入する投入口と、この投入口より投入された前記生ゴミを収納する生ゴミ収納部と、この生ゴミ収納部に収納された前記生ゴミを攪拌する攪拌部とを備えた本体と、前記投入口を開閉する投入口開閉蓋と、前記生ゴミ収納部内の空気を前記本体の外へ案内する排気通路と、この排気通路内に設けられ、前記本体の外へ送風する排気ファンと、前記本体内に設けられ、消臭剤を収納する消臭剤収納部と、この消臭剤収納部内の前記消臭剤を前記生ゴミ収納部へ案内する消臭剤案内通路と、この消臭剤案内通路は、中途より分岐し、分岐した一方は前記排気通路に接続される消臭剤排気側通路であり、分岐した他方は前記生ゴミ収納部へ案内する消臭剤生ゴミ収納部側通路であり、前記分岐する手前は消臭剤通路であり、この消臭剤通路内に設けられ、前記消臭剤収納部内の前記消臭剤を吸い込んで、前記消臭剤排気側通路及び前記消臭剤生ゴミ収納部側通路へ送風する消臭ファンとを有するものである。
【０００８】
また、請求項５記載の生ゴミ処理装置は、生ゴミを投入する投入口と、この投入口より投入された前記生ゴミを収納する生ゴミ収納部と、この生ゴミ収納部に収納された前記生ゴミを攪拌する攪拌部とを備えた本体と、前記投入口を開閉する投入口開閉蓋と、
前記生ゴミ収納部内の空気を前記本体の外へ案内する排気通路と、この排気通路内に設けられ、前記本体の外へ送風する排気ファンと、前記本体内に設けられ、消臭剤を収納する消臭剤収納部と、この消臭剤収納部内の前記消臭剤を前記生ゴミ収納部へ案内する消臭剤生ゴミ収納部側通路と、前記消臭剤収納部内の前記消臭剤を前記排気通路に案内する消臭剤排気側通路と、前記消臭剤生ゴミ収納部側通路内に設けられ、前記消臭剤収納部内の前記消臭剤を前記生ゴミ収納部へ送風する第１の消臭ファンと、前記消臭剤排気側通路内に設けられ、前記消臭剤収納部内の前記消臭剤を前記消臭剤排気側通路へ送風する第２の消臭ファンとを有するものである。
【発明の効果】
【０００９】
請求項１記載の生ゴミ処理装置によれば、投入口が投入口開閉蓋により開放される前に、検知センサが使用者を検知し、制御手段により消臭ファン及び排気ファンを動作させるため、投入口よりの臭いの漏れ、つまり、生ゴミ収納部内の臭いが本体の外へ漏れるのを防ぐことができる。
【００１０】
また、請求項２記載の生ゴミ処理装置の臭気漏れ防止方法によれば、投入口が投入口開閉蓋により開放される前に、検知センサが使用者を検知し、制御手段により消臭ファン及び排気ファンが動作するため、投入口よりの臭いの漏れ、つまり、生ゴミ収納部内の臭いが本体の外へ漏れるのを防ぐことができ、しかも、投入口を開閉する投入口開閉蓋を、生ゴミ収納部に遠い側から第１の投入口開閉蓋、第２の投入口開閉蓋の少なくとも２個以上備えているため、開閉動作に時間を要するようにして、その間、消臭ファン及び排気ファンの動作により、生ゴミ収納部内の脱臭効果を発揮させて、生ゴミ収納部内の臭いが本体の外へ漏れるのをより防ぐことができる。
【００１１】
また、請求項３記載の生ゴミ処理装置の臭気漏れ防止方法によれば、投入口が投入口開閉蓋により開く前に、検知センサが使用者を検知し、制御手段により消臭ファン及び排気ファンを動作させるため、投入口よりの臭いの漏れ、つまり、生ゴミ収納部内の臭いが本体の外へ漏れるのを防ぐことができる。
【００１２】
また、請求項４記載の生ゴミ処理装置によれば、生ゴミ収納部内の空気は、消臭剤生ゴミ収納部側通路を介して供給される消臭剤により消臭され、排気通路により本体の外へ送風されると共に、消臭剤排気側通路を介して排気通路内に直接消臭剤が供給されるため、生ゴミ収納部内の臭いが本体の外へ漏れるのを防ぐことができる。
【００１３】
また、請求項５記載の生ゴミ処理装置によれば、生ゴミ収納部内の空気は、消臭剤生ゴミ収納部側通路を介して供給される消臭剤により消臭され、排気通路により本体の外へ送風されると共に、消臭剤排気側通路を介して排気通路内に直接消臭剤が供給されるため、生ゴミ収納部内の臭いが本体の外へ漏れるのを防ぐことができる。
【実施例】
【００１４】
本発明の一実施例の生ゴミ処理装置及び生ゴミ処理装置の臭気漏れ防止方法を図面を参照して説明する。
図１乃至図４において、Ａは生ゴミ処理装置で、生ゴミ処理装置Ａは、例えば、生ゴミを攪拌すると共に、好気性菌を投入して発酵を促進させて処理するものである。また、生ゴミは、例えば、飲食店等において発生する残飯、野菜屑、ファーストフード店、コンビニエンスストアー等から出る賞味期限切れの弁当、食品等である。
【００１５】
１は、生ゴミを投入する投入口１１と、投入口１１より投入された生ゴミを収納する生ゴミ収納部１２と、この生ゴミ収納部１２に収納された生ゴミを攪拌する攪拌部１３とを備えた本体である。
生ゴミ収納部１２は本体１の下方に位置し、攪拌部１３は、例えば、生ゴミ収納部１２の略中央に位置し、モータ２よりの回転をスプロケット３、チェーン等の伝達部材４を介して回転する回転軸５に直交するように設けられた複数の部材１３ａで構成されている。
【００１６】
投入口１１は、投入口開閉蓋６により開閉される。開閉は、例えば、投入口開閉蓋６の一端を軸支して回動するようにする。投入口開閉蓋６を回動させた状態を図３に示す。投入口開閉蓋６は１個でも良いが、望ましくは、少なくとも２個以上備えている方が良い。
即ち、投入口を開閉する投入口開閉蓋６を、生ゴミ収納部１２に遠い側から第１の投入口開閉蓋６１、第２の投入口開閉蓋６２の少なくとも二つ以上備えている。
これは、投入口開閉蓋６の開閉動作に時間を要するようにして、その間、後述する消臭ファン及び排気ファンの動作により、生ゴミ収納部１２内の脱臭効果を増大させて、生ゴミ収納部１２内の臭いが本体１の外へ漏れるのをより防ぐようにするためである。
なお、第１の投入口開閉蓋６１は、本体１の上方中央に位置し、第２の投入口開閉蓋６２は、生ゴミ収納部１２の上方に位置し、例えば、水平方向にスライド自在に支持され、図４は、第２の投入口開閉蓋６２が水平方向に移動し、生ゴミ収納部１２の上方が開放している状態を示している。
７は、消臭剤収納部８の収納室を開閉する開閉蓋であり、９は、脱臭装置１０（例えば、活性炭による脱臭装置）の収納室を開閉する開閉蓋である。
【００１７】
２０は、生ゴミ収納部１２内の空気を本体１の外へ案内する排気通路で、２１は排気通路２０内に設けられ、本体１の外へ送風する排気ファンで、排気ファン２１は、後述する検知センサ３０が使用者を検知すると、後述する制御手段４０により動作する。２２は、排気通路２０内に設けられ、生ゴミ処理装置Ａが作動している間、常時動作し、本体１の外へ送風する脱臭用排気ファンである。
【００１８】
８は、本体１内に設けられ、消臭剤を収納する消臭剤収納部で、２５は、消臭剤収納部８内の消臭剤を生ゴミ収納部１２へ案内する消臭剤案内通路で、消臭剤案内通路２５の先端は、生ゴミ収納部１２内を臨むように構成されている。
２６は、消臭剤案内通路２５内に設けられ、消臭剤収納部８内の消臭剤を吸い込んで、生ゴミ収納部１２へ送風する消臭ファンである。
【００１９】
３０は本体１の前面側に設けられ、使用者を検知する検知センサで、検知センサ３０は、例えば、検知領域内で使用者を検知するもので、赤外線センサ、超音波センサ等である。４０は、検知センサ３０が投入口開閉蓋６を開けようとする使用者を検知すると、消臭ファン２６及び排気ファン２１を動作させる制御手段で、例えば、検知センサ３０が使用者を検知すると、消臭ファン２６及び排気ファン２１の回路を閉じるようにして消臭ファン２６及び排気ファン２１を動作させるるものである。
【００２０】
従って、使用者が生ゴミを入れようと生ゴミ処理装置Ａに近づき、投入口開閉蓋６（第１の投入口開閉蓋６１、第２の投入口開閉蓋６２）を開けようとすると、検知センサ３０が使用者を検知し、つまり、投入口１１が投入口開閉蓋６（第１の投入口開閉蓋６１、第２の投入口開閉蓋６２）により開放される前に、制御手段４０により消臭ファン２６及び排気ファン２１が動作するため、投入口１１よりの臭いの漏れ、つまり、生ゴミ収納部１２内の臭いが本体１の外へ漏れるのを防ぐことができる。
なお、消臭ファン２６及び排気ファン２１は、検知センサ３０が使用者を検知しないと、動作を停止するようになっているが、脱臭用排気ファン２２は、攪拌部１３が動作している間、つまり、回転軸５が回転している間、ＯＮ状態を維持して生ゴミ収納部１２内の臭いを脱臭装置１０で除去して本体１の外へ排出するように制御手段４０により制御している。
また、消臭ファン２６及び排気ファン２１は、検知センサ３０が使用者を検知しないと、動作を停止するようにしたが、本願発明にあってはこれに限らず、例えば、検知センサ３０が使用者を検知し、検知後タイマーにより一定時間後、動作を停止するように制御手段４０により制御するようにしても良い。
【００２１】
また、上述の実施例では、排気通路２０に設けた排気ファン２１と脱臭用排気ファン２２を直列に配置したが、排気ファン２１と脱臭用排気ファン２２を、図５に示すように、並列に設けても良い。脱臭装置１０は、脱臭用排気ファン２２より上流側に位置している。
また、図５に示すように、消臭剤収納部８内の消臭剤を案内する消臭剤案内通路２５を中途より分岐しても良い。
即ち、分岐した一方は排気通路２０に接続される消臭剤排気側通路２５Ｂであり、分岐した他方は生ゴミ収納部１２へ案内する消臭剤生ゴミ収納部側通路２５Ａであり、前記分岐する手前は消臭剤通路２５Ｃとなっている。
そして、特に、前述した消臭ファン２６は、消臭剤通路２５Ｃ内に設けられ、消臭剤収納部８内の消臭剤を吸い込んで、消臭剤排気側通路２５Ｂ及び消臭剤生ゴミ収納部側通路２５Ａへ送風するようになっている。
【００２２】
生ゴミ収納部１２内の空気は、消臭剤生ゴミ収納部側通路２５Ａを介して供給される消臭剤により消臭され、排気通路２０により本体１の外へ送風されると共に、消臭剤排気側通路２５Ｂを介して排気通路２０内に直接消臭剤が供給されるため、生ゴミ収納部１２内の臭いが本体１の外へ漏れるのを防ぐことができる。なお、図５においては、図１乃至図４記載のものと同一部分に同一符号を付してその説明を一部省略している。
【００２３】
また、上述の実施例（図１乃至図５）では、１個の消臭ファン２６を消臭剤通路２５Ｃ内に設け、１個の消臭ファン２６により、消臭剤収納部８内の消臭剤を吸い込んで、消臭剤排気側通路２５Ｂ及び消臭剤生ゴミ収納部側通路２５Ａへ送風するようにしたが、第１の消臭ファン２６Ａ、第２の消臭ファン２６Ｂと２個設けても良い。
即ち、図６に示すように、消臭剤収納部８と生ゴミ収納部１２とを連通する消臭剤生ゴミ収納部側通路２５Ａ内に第１の消臭ファン２６Ａを設け、消臭剤収納部１２内の消臭剤を生ゴミ収納部１２へ送風して導き、また、消臭剤収納部８と排気通路２０とを連通する消臭剤排気側通路２５Ｂ内に第２の消臭ファン２６Ｂを設け、消臭剤排気側通路２５Ｂ内の消臭剤を排気通路２０へ送風して導くようにしても、上述と同様な効果を有する。
なお、図６においては、図１乃至図５記載のものと同一部分に同一符号を付してその説明を一部省略している。
【図面の簡単な説明】
【００２４】
【図１】図１は、本発明の一実施例の生ゴミ処理装置の概略的斜視図である。
【図２】図２は、図１の生ゴミ処理装置の概略的正断面図である。
【図３】図３は、図１の生ゴミ処理装置の概略的側断面図である。
【図４】図４は、 図１の生ゴミ処理装置の機能部分を説明するための概略的説明図である。
【図５】図５は、 図１の生ゴミ処理装置と異なる他の生ゴミ処理装置の機能部分を説明するための概略的説明図である。
【図６】図６は、 図５の生ゴミ処理装置と異なる他の生ゴミ処理装置の機能部分を説明するための概略的説明図である。
【符号の説明】
【００２５】
Ａ      ・・・・・生ゴミ処理装置
１      ・・・・・本体
６      ・・・・・投入口開閉蓋
８      ・・・・・消臭剤収納部
１１    ・・・・・投入口
１２    ・・・・・生ゴミ収納部
１３    ・・・・・攪拌部
２０    ・・・・・排気通路
２１    ・・・・・排気ファン
２５    ・・・・・消臭剤案内通路
２６    ・・・・・消臭ファン
３０    ・・・・・検知センサ
４０    ・・・・・制御手段
【図１】
2006110437.tif 000003
【図２】
2006110437.tif 000004
【図３】
2006110437.tif 000005
【図４】
2006110437.tif 000006
【図５】
2006110437.tif 000007
【図６】
2006110437.tif 000008